(57)【特許請求の範囲】
【請求項１】
挿入された紙葉類が積層収納される回動自在な紙葉類収納部を備え、紙葉類収納部を装置本体外側へ回動して収納紙葉類が回収される紙葉類収納装置において、
前記紙葉類収納部を、紙葉類収納部の一方の端部側に設けた第１回動軸及び他方の端部側に設けた第２回動軸を中心として選択的に回動するよう構成し、
前記紙葉類収納部の第２回動軸を中心とする回動を規制する第１係合手段と、
前記紙葉類収納部の第１回動軸を中心とする回動を規制する第２係合手段とを備え、
第１係合手段及び第２係合手段の係合を選択的に解除して紙葉類収納部を回動するよう構成するとともに、
紙葉類収納部の上側及び下側に収納紙葉類の取出口を形成し、
第１回動軸を紙葉類収納部の下側に、第２回動軸を紙葉類収納部の上側にそれぞれ配置した
ことを特徴とする紙葉類収納装置。
【発明の詳細な説明】
【０００１】
【発明の属する技術分野】
本発明は、紙幣、商品券、葉書等の紙葉類を収納する紙葉類収納装置に関するものである。
【０００２】
【従来の技術】
従来、この種の紙葉類収納装置として、箱状に形成された紙幣収納装置本体と、装置本体の前面に設けられた紙幣の挿入口と、挿入された紙幣を搬送路を通じて搬送する搬送手段と、前記搬送手段により搬送された紙幣を積層して収納する回動自在な紙幣収納部とを備えたものが知られており、この紙幣収納部は常時は紙幣収納部本体内に嵌め込まれており、収納紙幣の回収時に紙幣収納部がその下側を回動軸として背面側へ回動し、紙幣収納部を本体から引き出すようにしている。
【０００３】
この紙幣収納装置によれば、紙幣収納部に積層して収納された収納紙幣は、作業者により定期的に回収される。その際、前述の如く、作業者は紙幣収納部を下側を軸として回動して紙幣収納部の上端を引き出し、紙幣収納部の上端に開口した取出口から収納紙幣を取り出している。
【０００４】
ところで、前記紙幣収納装置では、この装置が備えられる自動販売機等の機種により、上下逆さに配置される場合がある。この場合、紙幣回収時に紙幣収納部がその上側を回動軸として回動することとなる。従って、紙幣収納部を回動した際に、取出口が下方に向かって開口された状態となるため、収納紙幣がその自重により下方へ落下してしまい、収納紙幣の回収作業が面倒なものとなるという問題点があった。
【０００５】
この問題点を解決するために、特開平６−３２５２４１号公報に記載されているように、装置本体と紙幣収納部の上方及び下方とにそれぞれ設けられた軸受孔と、上方及び下方の軸受孔の一方を選択して挿通可能な一の軸部材と、装置本体と紙幣収納部の上方及び下方の一方を選択して係合する着脱自在な一の係合部材とを備えた紙幣収納装置が提案されている。
【０００６】
この紙幣収納装置によれば、装置が配置された際の上下の向きに応じて、紙幣収納部の回動軸が下方となるように軸部材の挿通する軸受孔が変更され、これに伴い係合部材の取付・係合位置も上方となるように変更される。
【０００７】
【発明が解決しようとする課題】
しかしながら、前記軸部材を有し回動軸を変更可能な紙幣収納装置では、回動軸を変更する際に、一方の軸受孔から軸部材を抜き取り他方の軸受孔に軸部材を挿入するとともに、係合部材の取付位置も変更しなければならず、回動軸の変更作業が煩雑なものになるという問題点がある。
【０００８】
本発明は前記問題点に鑑みてなされたものであり、その目的とするところは、回動軸を変更する際に煩雑な作業を要することなく、紙葉類収納部を２つの回動軸を中心として選択的に回動させることのできる紙葉類収納装置を提供することにある。
【０００９】
【課題を解決するための手段】
本発明は前記目的を達成するために、挿入された紙葉類が積層収納される回動自在な紙葉類収納部を備え、紙葉類収納部を装置本体外側へ回動して収納紙葉類が回収される紙葉類収納装置において、前記紙葉類収納部を、紙葉類収納部の一方の端部側に設けた第１回動軸及び他方の端部側に設けた第２回動軸を中心として選択的に回動するよう構成し、前記紙葉類収納部の第２回動軸を中心とする回動を規制する第１係合手段と、前記紙葉類収納部の第１回動軸を中心とする回動を規制する第２係合手段とを備え、第１係合手段及び第２係合手段の係合を選択的に解除して紙葉類収納部を回動するよう構成するとともに、紙葉類収納部の上側及び下側に収納紙葉類の取出口を形成し、第１回動軸を紙葉類収納部の下側に、第２回動軸を紙葉類収納部の上側にそれぞれ配置している。これにより、第１及び第２係合手段により紙幣収納部と装置本体とが係合している場合は、紙幣収納部は装置本体側に固定される。第１係合手段の係合が解除されると紙幣収納部は第１回動軸を中心として装置本体外側へ回動し、第２係合手段の係合が解除されると紙幣収納部は第２回動軸を中心として装置本体外側へ回動する。従って、収納紙幣の回収時に、各回動軸のうち回収作業が容易な方を選択して紙幣収納部を回動させることができる。
【００１０】
また、紙葉類収納部の上側及び下側に収納紙葉類の取出口を形成し、第１回動軸を紙葉類収納部の下側に、第２回動軸を紙葉類収納部の上側にそれぞれ配置していることから、紙幣収納装置が上下逆さになることなく自動販売機等に備え付けられる場合は、作業者により第１回動軸を用いて紙幣収納部を回動されて収納紙幣が回収され、上下逆さに備え付けられる場合は、第２回動軸を用いて紙幣収納部を回動されて収納紙幣が回収される。従って、何れの場合も、作業者は紙幣収納部の上側から紙幣を回収することができる。
【００１１】
【発明の実施の形態】
図１乃至図５は本発明の紙葉類収納装置の一実施形態を示すもので、図１は紙葉類収納装置の概略側面断面図、図２は紙葉類収納装置の外観斜視図、図３は紙葉類収納装置の分解斜視図、図４は紙幣収納部の正面図、図５はレバーの動作説明図、図６は紙幣収納部の動作説明側面断面図、図７及び図８は紙葉類収納装置の動作説明斜視図である。
【００１２】
この紙葉類収納装置は、図１及び図２に示すように、背面下部を開口した箱形に形成された紙幣収納装置本体１と、紙幣収納装置本体１の前面に設けられ略水平に長手方向端部から紙幣Ｂが挿入される挿入口２と、挿入された紙幣Ｂが案内され装置本体１内の上方に略Ｕ字状に形成された搬送路３と、搬送路３に沿って設けられた搬送ベルトを有し、搬送路３内の紙幣Ｂを後述する商品収納部側へ搬送する搬送装置４と、搬送路３内の紙幣Ｂを光学センサ等により検知する検知装置５と、装置本体１内の背面側下方に位置し、搬送装置４により搬送された紙幣Ｂを積層して収納する回動自在な紙幣収納部６とを有している。
【００１３】
図３に示すように、紙幣収納部６は上下両面を開口した箱形に形成され、その左右両側面下部から外側へ突出した棒状の第１回動軸部７と、左右両側面上部から外側へ突出した棒状の第２回動軸部８とを有している。また、紙幣収納部６の上側の開口部は紙幣の第１取出口９を、下側の開口部は紙幣の第２取出口１０をなしている。また、紙幣収納部６の背面上下端部には前方へ延びる鍔部６ａが設けられ、上側と下側の鍔部６ａにそれぞれ左右一対の孔６ｂが設けられている。上側の各孔６ｂをそれぞれ挿通する第１突起１１と、下側の各孔６ｂをそれぞれ挿通する第２突起１２とが設けられ、図４に示すように、各第１突起１１は第１レバー１３に、各第２突起は第２レバー１４にそれぞれ接続されている。紙幣収納部６の背面上下端側中央にはそれぞれ切欠６ｃが設けられ、この各切欠６ｃに沿って各レバー１３，１４の操作部が配置されている。各レバー１３，１４は樹脂により形成されており、図５に示すように、操作部に力を加えると、可撓部が弾性変形し、各突起１１，１２の紙幣収納部６から突出した部分が、紙幣収納部６側へ移動するようになっている。
【００１４】
装置本体１の左右内側面には、各第１回動軸部７を係脱自在に軸支する第１軸受部１５と、各第２回動軸部８を係脱自在に軸支する第２軸受部１６とが設けられている。これにより、紙幣収納部６は、第１回動軸部７を用いた際の回動軸Ａ２と、第２回動軸部８を用いた際の回動軸Ａ１とで選択的に回動することができるようになっている。ここで、各軸受部１５，１６は背面側を切り欠いた円筒状に形成されており、一方の回動軸を中心として紙幣収納装置６が回動した際に、他方の回動軸部は軸受部に拘束されることはない。また、装置本体１の紙幣収納部６上方には、略水平に設けられた板１ａが設けられている。第１突起１１はこの板１ａに穿設された第１孔１７と係合し、第２突起１２は装置本体１の下面に穿設された第２孔１８と係合し、紙幣収納部６の上側及び下側が固定され、各回動軸を中心とする回動を規制するようになっている。即ち、第１レバー１３により第１突起１１と第１孔１７との係合を解除すると、紙幣収納部６は回動軸Ａ１を中心に回動可能となり、第２レバー１４により下側の突起１２と第２孔１８との係合を解除すると、紙幣収納部６は回動軸Ａ２を中心に回動可能となる。
【００１５】
また、紙幣収納部６は、左右両側面の下側に設けられた第１回動規制部材６ｄと、上側に設けられた第２回動規制部材６ｅとを有している。各回動規制部材６ｄ，６ｅは、紙幣収納部６の側面と間隔をおき、側面と略平行に前後方向に延びて形成され、その後端が紙幣収納部６側に屈曲し、紙幣収納部６の側面の後端に接続している。各第１回動規制部材６ｄの左右外側の前部には第１突部６ｆが、各第２回動規制部材６ｅの左右外側の前部には第２突部６ｇがそれぞれ形成され、また、装置本体１の背面開口の左右両側縁部には、下側に第１突部６ｆと当接可能な第１当接部１ｂが、上側に第２突部６ｇと当接可能な第２当接部１ｃがそれぞれ開口内側に向かって突出して形成されている。即ち、図６に示すように、紙幣収納部６が第１回動軸Ａ１を中心に回動する際には、第１突部６ｆと第１当接部１ｂが当接する位置まで回動可能であり、装置が上下逆さとなることなく設置された場合には、この当接位置で紙幣収納部６は静止する。同様に、紙幣収納部６が第２回動軸Ａ２を中心に回動する際には、第２突部６ｇと第２当接部１ｃが当接する位置まで回動可能であり、装置が上下逆さに設置された場合には、この当接位置で紙幣収納部６は静止する。
【００１６】
また、各回動規制部材６ｄ，６ｅは、左右外側より力を加えるとその前端側が左右内側へ移動するようになっている。従って、紙幣収納部６が当接位置まで回動した際に、当接部と当接する回動規制部材を内側へ移動させると、紙幣収納部６は当接位置を超えて回動し、紙幣収納部６が装置本体１から外される。同様に、外された紙幣収納部６は回動規制部材を内側へ移動させることにより装置本体１に取り付け可能となる。
【００１７】
以上のように構成された紙幣収納装置において、図７に示すように、装置が上下逆さとなることなく設置された場合に作業者により収納紙幣が回収される際は、まず第１レバー１３を操作し、第１突起１１と第１孔１７との係合を解除する。この後、紙幣収納部６を回動軸Ａ１を中心として回動させ、紙幣収納部６の上端側を引き出して、紙幣収納部６の上端側の第１取出口９から収納紙幣Ｂが回収される。
【００１８】
また、図８に示すように、装置が上下逆さに設置された場合に作業者により収納紙幣が回収される際は、上方に位置する第２レバー１４を操作し、第２突起１２と第２孔１８との係合を解除する。この後、紙幣収納部６を回動軸Ａ２を中心として回動させ、紙幣収納部６の上端側を引き出して、上方に位置する紙幣収納部６の第２取出口１０から収納紙幣Ｂが回収される。
【００１９】
このように、本実施形態の紙葉類収納装置によれば、装置が上下逆さになることなく自動販売機等に備え付けられる場合は、作業者により回動軸Ａ１を用いて紙幣収納部６が回動されて収納紙幣Ｂが回収され、上下逆さに備え付けられる場合は、回動軸Ａ２を用いて紙幣収納部６が回動されて収納紙幣Ｂが回収される。従って、何れの場合も作業者は紙幣収納部６の上側から紙幣Ｂを回収することができ、例えば紙幣収納部の下側にのみ回動軸を有する従来のもののように、装置が上下逆さに設置された場合に紙幣取出口が下側となり、紙幣収納部を回動した際に収納紙幣が落下することはなく、作業者の負担を軽減することができる。
【００２０】
また、各軸受部１５，１６に各回動軸部７，８が係脱自在に軸支されるようにしたので、紙幣収納部６が一方の回動軸を中心として回動する際には他方の回動軸部が軸受部から脱し、他方の回動軸を中心として回動する際には一方の回動軸部が軸受部から脱し、紙幣収納部６の回動動作を確実に行うことができる。
【００２１】
また、第１レバー１３及び第２レバー１４を設け、各レバー１３，１４の操作により各突起１１，１２と各孔１７，１８の係合が解除されるようにしたので、作業者は収納紙幣Ｂの回収作業を容易に行うことができる。
【００２２】
尚、前記実施形態においては、各回動軸部７，８を紙幣収納部６に設け、各軸受部１５，１６を紙幣収納装置本体１に設けたものを示したが、各回動軸部を紙幣収納装置本体１に設け、各軸受部を紙幣収納部６に設ける構成としてもよい。また、各軸受部１５，１６を背面側を切り欠いた円筒状に形成したものを示したが、各軸受部の背面側を切り欠くことなく、各回動軸部を前記各レバーと連動させることにより、各回動軸部が各軸受部に対して係脱自在となるよう構成してもよい。
【００２３】
また、前記実施形態においては、紙幣収納部６と装置本体１とを、各突起１１，１２及び各孔１７，１８により係合させるものを示したが、例えば磁石及び磁性体により紙幣収納部及び装置本体とを係合するようにしてもよい。また、各突起１１，１２を紙幣収納部６側に設け、各孔１７，１８を装置本体１側に設けたものを示したが、各突起を装置本体側に設け、各孔を紙幣収納部側に設けてもよい。
【００２４】
また、前記実施形態においては、各レバー１３，１４を操作することにより各突起１１，１２と各孔１７，１８との係合が解除されるものを示したが、各レバー１３，１４を設けることなく、各突起を紙幣収納部に直に設け、紙幣収納部に力を加えることにより係合が解除されるようにしてもよい。
【００２５】
また、前記実施形態においては、紙葉類収納装置として紙幣Ｂを収納するものを示したが、商品券や葉書等を収納するものであってもよい。
【００２６】
【発明の効果】
以上説明したように、本発明の紙葉類収納装置によれば、紙葉類収納部を第１回動軸及び第２回動軸を中心として選択的に回動するよう構成したので、作業者は収納紙葉類の回収時に各回動軸のうち回収作業が容易な方を選択して紙葉類収納部を回動させることができ、作業者の負担を軽減することができる。また、紙葉類収納装置が上下逆さに設置された場合においても、作業者は紙葉類収納部の上側から紙葉類を回収することができ、例えば、紙葉類収納部の下側にのみ回動軸を有する従来のもののように、装置が上下逆さに設置された場合に紙葉類取出口が下側となり、紙葉類収納部を回動した際に収納紙葉類が落下することはない。
【図面の簡単な説明】
【図１】本発明の一実施形態を示す紙葉類収納装置の概略側面断面図
【図２】紙葉類収納装置の外観斜視図
【図３】紙葉類収納装置の分解斜視図
【図４】紙幣収納部の正面図
【図５】レバーの動作説明図
【図６】紙幣収納部の動作説明側面断面図
【図７】紙葉類収納装置の動作説明斜視図
【図８】紙葉類収納装置の動作説明斜視図
【符号の説明】
１…紙幣収納装置本体、２…挿入口、３…搬送路、４…搬送装置、６…紙幣収納部、７…第１回動軸部、８…第２回動軸部、９…第１取出口、１０…第２取出口、１１…第１突起、１２…第２突起、１３…第１レバー、１４…第２レバー、１５…第１軸受部、１６…第２軸受部、１７…第１孔、１８…第２孔、Ａ１…第１回動軸、Ａ２…第２回動軸。
【図１】
0004493191.tif 000002
【図２】
0004493191.tif 000003
【図３】
0004493191.tif 000004
【図４】
0004493191.tif 000005
【図５】
0004493191.tif 000006
【図６】
0004493191.tif 000007
【図７】
0004493191.tif 000008
【図８】
0004493191.tif 000009